【手続補正書】
【提出日】平成26年5月20日(2014.5.20)
【手続補正１】
【補正対象書類名】特許請求の範囲
【補正対象項目名】全文
【補正方法】変更
【補正の内容】
【特許請求の範囲】
【請求項１】
細長製品を保持するのに有用な、折り畳んで、ほぼ平坦にしたパックにおいて、
内側前面パネルと、
横方向折り目に沿って前記内側前面パネルに連結した背面パネルと、
縦方向折り目に沿って前記背面パネルの側辺に連結した左側辺パネルと、
縦方向折り目に沿って前記背面パネルの他方の側辺に連結した右側辺パネルと、
横方向折り目に沿って前記背面パネルに連結した頂部パネルと、
横方向折り目に沿って前記頂部パネルに連結した前面閉鎖パネルと
を備え、
左右の前記側辺パネルは、前記背面パネルの上方に折り畳み、左右の側辺パネルにおける互いに対向する側端縁相互間に隙間を生ずるようにし、
前記内側前面パネルは、前記背面パネルの上方に折り畳み、また左右の前記側辺パネルに接着して、内部に細長製品を収容する寸法のポケットを形成し、 
前記内側前面パネルには、前記横方向折り目に隣接し、前記隙間に重なり合う閉鎖スロットを設け、 
前記頂部パネル及び前記前面閉鎖パネルを前記背面パネルの上方に折り畳み、 
前記前面閉鎖パネルには、その端縁部分に、前記閉鎖スロットに係合する閉鎖タブを設け、
前記頂部パネルは、前記閉鎖タブを前記閉鎖スロットに完全に挿入したとき、前記背面パネルに対して鋭角の角度をなし、接着剤は、前記左右のパネルと前記内側前面パネルとの間にのみ配置する構成とした、
パック。
【請求項２】
請求項１に記載のパックにおいて、左右の前記側辺パネルは、それぞれ頂部パネルの長さよりも１０％長い長さ以下の長さを有する第１角度付き端縁を有する、パック。
【請求項３】
請求項１に記載のパックにおいて、前記背面パネルは、前記内側前面パネルよりも長い、パック。
【請求項４】
請求項１に記載のパックにおいて、前記閉鎖スロットは、横方向に延びる湾曲部分と、この湾曲部分の両側の各端部における直線部分とを有し、前記直線部分は、前記湾曲部分から上向きかつ外方に離れるよう延びる、パック。
【請求項５】
請求項１に記載のパックにおいて、前記前面閉鎖パネルは長方形とし、また前記閉鎖タブは、２つの縦方向に延びるスリットによって画定し、前記スリットは、前記前面閉鎖パネルの長さに対する２０％以下の長さにわたり延在する、パック。
【請求項６】
請求項１に記載のパックにおいて、前記内側前面パネルは、長方形であってその遊端に、中央に位置するアーチ状の切欠きを有し、左右の前記側辺パネルは、前記アーチ状の切欠きの一部に整合するアーチ状の端縁部分を有する、パック。
【請求項７】
請求項６に記載のパックにおいて、前記左右の側辺パネルは、前記アーチ状の端縁部分から、前記背面パネルと頂部パネルとの間の横方向折り目まで延在する角度付き端縁部分を有する、パック。
【請求項８】
請求項１に記載のパックにおいて、前記閉鎖タブは前記頂部パネルよりも長くし、前記頂部パネルは前記閉鎖タブを前記閉鎖スロット内に維持する閉鎖力を前記閉鎖タブに及ぼすのに十分な隆起支点効果を生ずるようにした、パック。
【請求項９】
請求項１に記載のパックにおいて、前記前面閉鎖パネルは前記背面パネルよりも短くし、前記閉鎖スロットは前記内側前面パネルと前記背面パネルとの間の折り目から内側前面パネル長の２５％未満の距離をとって配置し、前記閉鎖タブは長方形とし、前記前面閉鎖パネルの前記閉鎖タブを挟んで両側にある左右の部分を長方形とし、かつ前記閉鎖タブとほぼ同一サイズとし、前記左右の部分の遊端は、前記閉鎖タブを完全に前記閉鎖スロットに挿入したとき、前記閉鎖タブを挟んだ両側において、前記パックの全長にわたり延在する、パック。
【請求項１０】
請求項１に記載のパックにおいて、前記内側前面パネルは、前記隙間の上方位置における露出した支持面であって、前記閉鎖タブの前記閉鎖スロット内への滑らかな滑り込みを生ずる、該支持面を有する、パック。
【請求項１１】
請求項１に記載のパックにおいて、前記内側前面パネルは、前記隙間の上方位置で露出した支持面であって、閉鎖スロットを拡開するよう手動で押下げ可能にし、これにより、前記閉鎖タブの前記閉鎖スロットに対する出し入れを容易にできる、該支持面を有した、パック。
【請求項１２】
請求項１に記載のパックにおいて、前記内側前面パネルは、該内側前面パネルの外端縁の内側にいかなる開口部をも有しない、パック。
【請求項１３】
請求項１に記載のパックにおいて、前記ポケット内で縦方向に整列された複数のたばこスティックを同梱した、パック。
【請求項１４】
請求項１３に記載のパックにおいて、少なくとも１本のたばこスティックが、前記側辺パネルと前記背面パネルとの間の空間に存在するものとした、パック。
【請求項１５】
請求項１に記載のパックにおいて、前記左右の側辺パネルは、側端縁から前記内側前面パネルと前記背面パネルとの間の横方向折り目まで延在する角度付き底端縁を有する、パック。
【請求項１６】
請求項１に記載のパックにおいて、前記左右の側辺パネルは、前記背面パネルの幅に対する２０〜３０％の幅を有する、パック。
【請求項１７】
請求項１に記載のパックにおいて、前記頂部パネル及び前記前面閉鎖パネルは互いに協調動作し、ヒンジ蓋付きたばこパッケージの操作に類似してパックを片手で開閉できるようにした、パック。
【請求項１８】
請求項１に記載のパックにおいて、前記閉鎖スロットの幅は、前記背面パネルの幅の約１／３とする、パック。
【請求項１９】
請求項１に記載のパックにおいて、前記閉鎖タブは、前面閉鎖パネルに形成したＶ字形の切欠きで終端する２つの縦方向スリットによって画定する、パック。
【請求項２０】
細長製品を収納する底が浅く長方形であるボード製のパックにおいて、
背面パネルと、
側端縁部分及び下端縁部分に沿って、前記背面パネルに連結した内側前面パネルであって、下側部分に閉鎖スロットを有し、前記閉鎖スロットにわたり弓形に湾曲した状態にあり、これにより、前記閉鎖スロットに隣接して前記内側前面パネルに隆起したリップ部分が生ずる、該内側前面パネルと、
横方向遊端縁部分、及び、前記遊端縁部分における縦方向スリット相互間に生じた閉鎖タブを有する、前面閉鎖パネルと、
前記背面パネルの横方向端縁部分と前記前面閉鎖パネルの一部との間に介在させた頂部パネルであって、
前記前面閉鎖パネルは、閉鎖位置と開放位置との間で移動可能とし、
前記閉鎖位置では、前記閉鎖タブの少なくとも一部が、前記閉鎖スロットから前記内側前面パネルの下側に挿入され、また前記頂部パネルが、前記背面パネルに対して鋭角の角度をなす関係となるよう回転されており、
前記前面閉鎖パネルを後退させる間に、前記頂部パネルが、前記鋭角の角度をなす関係から離れる方向に回転可能であり、この回転により、前記閉鎖タブと前記閉鎖スロットとの間にクリアランスを生じまた前記前面閉鎖パネルを再度閉鎖する間に、前記隆起したリップ部分が前記閉鎖タブを前記閉鎖スロットに案内する、
該頂部パネルと、
縦方向折り目に沿って前記背面パネルの側辺に連結した左側辺パネルと、
縦方向折り目に沿って前記背面パネルの他方の側辺に連結した右側辺パネルと、
を備え、
左右の前記側辺パネルは、前記背面パネルの上方に折り畳み、左右の側辺パネルにおける互いに対向する側端縁相互間に隙間を生ずるようにし、
前記内側前面パネルは、前記背面パネルの上方に折り畳み、また左右の前記側辺パネルに接着して、内部に細長製品を収容する寸法のポケットを形成し、
前記内側前面パネルは、長方形であってその遊端に、中央に位置するアーチ状の切欠きを有し、左右の前記側辺パネルは、前記アーチ状の切欠きの一部に整合するアーチ状の端縁部分を有する構成とした、
パック。
【請求項２１】
請求項２０に記載のパックにおいて、前記内側前面パネルは、前記背面パネルの大部分の長さにわたって重なり合い、また上端縁部分を有し、前記上端縁部分は、前記頂部パネルが前記背面パネルに対して鋭角の角度をなす関係となるよう回転できるのに十分な距離だけ前記頂部パネルから離れて位置する、パック。
【請求項２２】
請求項２０に記載のパックにおいて、前記閉鎖位置で、前記前面閉鎖パネルの前記横方向遊端縁部分は、前記内側前面パネルの前記下側部分に隣接して保持される、パック。
【請求項２３】
請求項２０に記載のパックにおいて、前記内側前面パネルは、前記閉鎖スロットに隣接する支持面を有し、前記支持面により、前記閉鎖タブの前記閉鎖スロット内への滑らかな摺動をもたらす、パック。
【請求項２４】
請求項２３に記載のパックにおいて、前記支持面は、閉鎖スロットを拡開するよう手動で押下げ可能にし、これにより、前記閉鎖タブの前記閉鎖スロットに対する出し入れを容易にできる、パック。
【請求項２５】
請求項２０に記載のパックにおいて、左右の前記側辺パネルは、それぞれ頂部パネルの長さよりも１０％長い長さ以下の長さを有する角度付き上端縁を有する、パック。
【請求項２６】
請求項２０に記載のパックにおいて、前記背面パネルは、前記内側前面パネルよりも長い、パック。
【請求項２７】
請求項２０に記載のパネルにおいて、前記閉鎖スロットは、横方向に延びる湾曲部分と、この湾曲部分の両側の各端部における直線部分とを有し、前記直線部分は、前記湾曲部分から上向きかつ外方に離れるよう延びる、パック。
【請求項２８】
請求項２０に記載のパックにおいて、前記前面閉鎖パネルは長方形とし、また前記閉鎖タブは、２つの縦方向に延びるスリットによって画定し、前記スリットは、前記前面閉鎖パネルの長さに対する２０％以下の長さにわたり延在する、パック。
【請求項２９】
請求項２０に記載のパックにおいて、前記閉鎖タブは前記頂部パネルよりも長くし、前記頂部パネルは前記閉鎖タブを前記閉鎖スロット内に維持する閉鎖力を前記閉鎖タブに及ぼすのに十分な隆起支点効果を生ずるようにした、パック。
【請求項３０】
請求項２０に記載のパックにおいて、前記前面閉鎖パネルは、前記背面パネルよりも短くし、前記閉鎖スロットは、前記内側前面パネルの底部から内側前面パネルの長さの２５％未満の距離をとって配置し、前記前面閉鎖パネルは長方形とし、前記閉鎖タブは長方形とし、前記閉鎖タブを挟んで両側にある前面閉鎖パネルの左右の部分は、長方形かつ前記閉鎖タブとほぼ同一サイズとし、前記左右の部分の遊端は前記閉鎖タブを完全に前記閉鎖スロットに挿入したとき、前記閉鎖タブを挟んだ両側において、パックの全長にわたり延在するものとする、パック。
【請求項３１】
請求項２０に記載のパックにおいて、前記内側前面パネルは、該内側前面パネルの外端縁の内側に、前記閉鎖スロット以外のいかなる開口部も有しない、パック。
【請求項３２】
請求項２０に記載のパックにおいて、前記ポケット内で縦方向に整列された複数のたばこスティックを同梱した、パック。
【請求項３３】
請求項３２に記載のパックにおいて、少なくとも１本のたばこスティックが、前記側辺パネルと前記背面パネルとの間の空間に存在するものとした、パック。
【請求項３４】
請求項２０に記載のパックにおいて、前記左右の側辺パネルは、側端縁から前記内側前面パネルと前記背面パネルとの間の横方向折り目まで延在する角度付き底端縁を有する、パック。
【請求項３５】
請求項２０に記載のパックにおいて、前記左右の側辺パネルは、前記背面パネルの幅に対する２０〜３０％の幅を有する、パック。
【請求項３６】
請求項２０に記載のパックにおいて、前記内側前面パネルは、その側端縁部分に沿って、左右の前記側辺パネルと前記内側前面パネルとの間にのみ配置した接着剤により前記背面パネルに連結した、パック。
【請求項３７】
請求項２０に記載のパックにおいて、前記頂部パネル及び前記前面閉鎖パネルは互いに協調動作し、ヒンジ蓋付きたばこパッケージの操作に類似してパックを片手で開閉できるようにした、パック。
【請求項３８】
請求項２０に記載のパックにおいて、前記閉鎖スロットの幅は、前記背面パネルの幅の約１／３とする、パック。
【請求項３９】
請求項２０に記載のパックにおいて、縦方向スリットは、前記前面閉鎖パネルに形成したＶ字形の切欠きで終端させた、パック。
【請求項４０】
細長製品を収納する底が浅く長方形であるボード製のパックにおいて、
背面パネルと、
側端縁部分及び下端縁部分に沿って、前記背面パネルに連結した内側前面パネルであって、下側部分に閉鎖スロットを有し、前記閉鎖スロットにわたり弓形に湾曲した状態にあり、これにより、前記閉鎖スロットに隣接して前記内側前面パネルに隆起したリップ部分が生ずる、該内側前面パネルと、
横方向遊端縁部分、及び、前記遊端縁部分における縦方向スリット相互間に生じた閉鎖タブを有する、前面閉鎖パネルと、
前記背面パネルの横方向端縁部分と前記前面閉鎖パネルの一部との間に介在させた頂部パネルであって、
前記前面閉鎖パネルが、閉鎖位置と開放位置との間で移動可能とし、
前記閉鎖位置では、前記閉鎖タブの少なくとも一部が、前記閉鎖スロットから前記内側前面パネルの下側に挿入され、また前記頂部パネルが、前記背面パネルに対して鋭角の角度をなす関係となるよう回転されており、
前記前面閉鎖パネルを後退させる間に、前記頂部パネルが、前記鋭角の角度をなす関係から離れる方向に回転可能であり、この回転により、前記閉鎖タブと前記閉鎖スロットとの間にクリアランスを生じまた前記前面閉鎖パネルを再度閉鎖する間に、前記隆起したリップ部分が前記閉鎖タブを前記閉鎖スロットに案内する、
該頂部パネルと、
縦方向折り目に沿って前記背面パネルの側辺に連結した左側辺パネルと、
縦方向折り目に沿って前記背面パネルの他方の側辺に連結した右側辺パネルと、
を備え、
左右の前記側辺パネルは、前記背面パネルの上方に折り畳み、左右の側辺パネルにおける互いに対向する側端縁相互間に隙間を生ずるようにし、
前記内側前面パネルは、前記背面パネルの上方に折り畳み、また左右の前記側辺パネルに接着して、内部に細長製品を収容する寸法のポケットを形成し、
前記内側前面パネルは、長方形であってその遊端に、中央に位置するアーチ状の切欠きを有し、左右の前記側辺パネルは、前記アーチ状の切欠きの一部に整合するアーチ状の端縁部分を有し、
前記左右の側辺パネルは、前記アーチ状の端縁部分から前記頂部パネルまで延在する角度付き端縁部分を有する構成とした、
パック。
【請求項４１】
細長製品を保持するのに有用な、折り畳んで、ほぼ平坦にしたパックにおいて、
内側前面パネルと、
横方向折り目に沿って前記内側前面パネルに連結した背面パネルと、
縦方向折り目に沿って前記背面パネルの側辺に連結した左側辺パネルと、
縦方向折り目に沿って前記背面パネルの他方の側辺に連結した右側辺パネルと、
横方向折り目に沿って前記背面パネルに連結した頂部パネルと、
横方向折り目に沿って前記頂部パネルに連結した前面閉鎖パネルと
を備え、
左右の前記側辺パネルは、前記背面パネルの上方に折り畳み、左右の側辺パネルにおける互いに対向する側端縁相互間に隙間を生ずるようにし、
前記内側前面パネルは、前記背面パネルの上方に折り畳み、また左右の前記側辺パネルに接着して、内部に細長製品を収容する寸法のポケットを形成し、
前記内側前面パネルには、前記横方向折り目に隣接し、前記隙間に重なり合う閉鎖スロットを設け、
前記頂部パネル及び前記前面閉鎖パネルを前記背面パネルの上方に折り畳み、
前記前面閉鎖パネルには、その端縁部分に、前記閉鎖スロットに係合する閉鎖タブを設け、
前記頂部パネルは、前記閉鎖タブを前記閉鎖スロットに完全に挿入したとき、前記背面パネルに対して鋭角の角度をなし、
前記内側前面パネルは、長方形であってその遊端に、中央に位置するアーチ状の切欠きを有し、
左右の前記側辺パネルは、前記アーチ状の切欠きの一部に整合するアーチ状の端縁部分を有する構成とした、
パック。
【請求項４２】
請求項４１に記載のパックにおいて、前記ポケット内で縦方向に整列された複数のたばこスティックを同梱した、パック。
【請求項４３】
細長製品を収納する底が浅く長方形であるボード製のパックにおいて、
背面パネルと、
側端縁部分及び下端縁部分に沿って、前記背面パネルに連結した内側前面パネルであって、下側部分に閉鎖スロットを有し、前記閉鎖スロットにわたり弓形に湾曲した状態にあり、これにより、前記閉鎖スロットに隣接して前記内側前面パネルに隆起したリップ部分が生ずる、該内側前面パネルと、
横方向遊端縁部分及び前記遊端縁部分における縦方向スリット相互間に生じた閉鎖タブを有する前面閉鎖パネルと、
前記背面パネルの横方向端縁部分と前記前面閉鎖パネルの一部との間に介在させた頂部パネルであって、
前記前面閉鎖パネルが、閉鎖位置と開放位置との間で移動可能とし、
前記閉鎖位置では、前記閉鎖タブの少なくとも一部が、前記閉鎖スロットから前記内側前面パネルの下側に挿入され、また該頂部パネルが、前記背面パネルに対して鋭角の角度をなす関係となるよう回転されており、
前記前面閉鎖パネルを後退させる間に、該頂部パネルが、前記鋭角の角度をなす関係から離れる方向に回転可能であり、この回転により、前記閉鎖タブと前記閉鎖スロットとの間にクリアランスを生じまた前記前面閉鎖パネルを再度閉鎖する間に、前記隆起したリップ部分が前記閉鎖タブを前記閉鎖スロットに案内する、
該頂部パネルと、
縦方向折り目に沿って前記背面パネルの側辺に連結した左側辺パネルと、
縦方向折り目に沿って前記背面パネルの他方の側辺に連結した右側辺パネルと、
を備え、
左右の前記側辺パネルは、前記背面パネルの上方に折り畳み、左右の側辺パネルにおける互いに対向する側端縁相互間に隙間を生ずるようにし、
前記内側前面パネルは、前記背面パネルの上方に折り畳み、また左右の前記側辺パネルに接着して、内部に細長製品を収容する寸法のポケットを形成し、
前記内側前面パネルは、その側端縁部分に沿って、左右の前記側辺パネルと前記内側前面パネルとの間にのみ配置した接着剤により前記背面パネルに連結する構成とした、
パック。
【請求項４４】
請求項４３に記載のパックにおいて、前記ポケット内で縦方向に整列された複数のたばこスティックを同梱した、パック。